(57)【要約】【課題】充電途中の電子機器を充電器から引き離して即座に使用したい場合、充電が十分ではなく、例えばデジタルカメラであればフラッシュが発光しないなど、電子機器の状態をユーザに十分に認識させることができなかった。【解決手段】二次電池によって駆動される電子機器は、外部充電器から二次電池への充電を管理する充電管理部と、充電の進行に伴って変化する二次電池の充電容量を充電管理部から受け取って、電子機器が有する機能の充電容量に基づく制限に関する情報を告知する告知部とを備える。【選択図】図１
2013005693.tif 000002
【特許請求の範囲】
【請求項１】
二次電池によって駆動される電子機器であって、
外部充電器から前記二次電池への充電を管理する充電管理部と、
前記充電の進行に伴って変化する前記二次電池の充電容量を前記充電管理部から受け取って、前記電子機器が有する機能の前記充電容量に基づく制限に関する情報を告知する告知部と
を備える電子機器。
【請求項２】
前記充電は無線により行われる請求項１に記載の電子機器。
【請求項３】
前記制限の対象となる複数の前記機能ごとに動作時における基準消費電力を記録する記録部を備え、
前記告知部は、前記基準消費電力を参照して、複数の前記機能の少なくとも一部の前記情報を告知する請求項１または２に記載の電子機器。
【請求項４】
複数の前記機能を動作させる制御部を備え、
前記制御部は、前記制限に基づいて少なくとも一部の前記機能を動作させない場合は、動作条件を変更して他の機能を動作させる請求項３に記載の電子機器。
【請求項５】
周辺環境情報を取得する環境取得部を備え、
前記告知部は、取得した前記周辺環境情報に基づいて前記基準消費電力を変更する請求項３または４に記載の電子機器。
【請求項６】
データを生成するデータ生成部と、
前記データを記録するデータ記録部の記録容量を演算する演算部と
を備え、
前記告知部は、前記データを記録できる前記記録容量に基づいて前記基準消費電力を変更する請求項３から５のいずれか１項に記載の電子機器。
【請求項７】
複数種類の外部機器を脱着できる脱着部を備え、
前記告知部は、前記脱着部に装着されている前記外部機器の種類に基づいて前記基準消費電力を変更する請求項３から６のいずれか１項に記載の電子機器。
【請求項８】
前記記録部は、複数の前記機能に対して優先的に動作させる順位である優先順位を記録し、
前記告知部は、前記優先順位に基づいて前記情報を変更する請求項３から７のいずれか１項に記載の電子機器。
【請求項９】
前記告知部は、前記充電管理部から前記充電の遮断情報を受け取った時に、前記情報を告知する請求項１から８のいずれか１項に記載の電子機器。
【請求項１０】
二次電池によって駆動される電子機器を充電する充電器であって、
前記電子機器と通信する通信部と、
前記電子機器が有する機能の、前記充電の進行に伴って変化する制限に関する情報を、前記通信部を介して受け取って告知する告知部と
を備える充電器。
【請求項１１】
前記充電は無線により行われる請求項１０に記載の充電器。
【請求項１２】
前記電子機器の複数の前記機能のうちの少なくともひとつを動作させるリモコン部と、
を備え、
前記告知部は、前記リモコン部によって動作させる前記機能に関する前記情報を告知する請求項１１に記載の充電器。
【請求項１３】
二次電池によって駆動される電子機器の制御プログラムであって、
外部充電器から前記二次電池への充電を管理する充電管理ステップと、
前記充電の進行に伴って変化する前記二次電池の充電容量を前記充電管理ステップから引き継いで、前記電子機器が有する機能の前記充電容量に基づく制限に関する情報を告知する告知ステップと
をコンピュータに実行させる電子機器の制御プログラム。
【請求項１４】
二次電池によって駆動される電子機器を充電する充電器の制御プログラムであって、
前記電子機器と通信する通信ステップと、
前記電子機器が有する機能の、前記充電の進行に伴って変化する制限に関する情報を、前記通信ステップから引き継いで告知する告知ステップと
をコンピュータに実行させる充電器の制御プログラム。
【発明の詳細な説明】
【技術分野】
【０００１】
本発明は、電子機器、充電器、電子機器の制御プログラムおよび充電器の制御プログラムに関する。
【背景技術】
【０００２】
ＡＣ電源アダプタと接続したクレードルに装着されたデジタルカメラにおいて、画像データの転送後に自動的にバッテリーへの充電を開始する技術が知られている。
［先行技術文献］
［特許文献］
［特許文献１］  特開２００７−２１４６８３号公報
【発明の概要】
【発明が解決しようとする課題】
【０００３】
充電途中の電子機器を充電器から引き離して即座に使用したい場合、充電が十分ではなく、例えばデジタルカメラであればフラッシュが発光しないなど、電子機器の状態をユーザに十分に認識させることができなかった。
【課題を解決するための手段】
【０００４】
本発明の第１の態様における二次電池によって駆動される電子機器は、外部充電器から二次電池への充電を管理する充電管理部と、充電の進行に伴って変化する二次電池の充電容量を充電管理部から受け取って、電子機器が有する機能の充電容量に基づく制限に関する情報を告知する告知部とを備える。
【０００５】
本発明の第２の態様における二次電池によって駆動される電子機器を充電する充電器は、電子機器と通信する通信部と、電子機器が有する機能の、充電の進行に伴って変化する制限に関する情報を、通信部を介して受け取って告知する告知部とを備える。
【０００６】
本発明の第３の態様における二次電池によって駆動される電子機器の制御プログラムは、外部充電器から二次電池への充電を管理する充電管理ステップと、充電の進行に伴って変化する二次電池の充電容量を充電管理ステップから引き継いで、電子機器が有する機能の充電容量に基づく制限に関する情報を告知する告知ステップとをコンピュータに実行させる。
【０００７】
本発明の第４の態様における二次電池によって駆動される電子機器を充電する充電器の制御プログラムは、電子機器と通信する通信ステップと、電子機器が有する機能の、充電の進行に伴って変化する制限に関する情報を、通信ステップから引き継いで告知する告知ステップとをコンピュータに実行させる。
【０００８】
なお、上記の発明の概要は、本発明の必要な特徴の全てを列挙したものではない。また、これらの特徴群のサブコンビネーションもまた、発明となりうる。
【図面の簡単な説明】
【０００９】
【図１】第１の実施例に係るデジタルカメラと充電器の背面斜視図である。
【図２】第１の実施例に係るデジタルカメラと充電器のブロック図である。
【図３】機能制限情報の表示例である。
【図４】基準消費電力テーブルの例である。
【図５】第１の実施例に係るデジタルカメラの制御フロー図である。
【図６】第２の実施例に係るデジタルカメラと充電器の背面斜視図である。
【図７】第２の実施例に係るデジタルカメラと充電器のブロック図である。
【図８】第２の実施例に係る充電器の制御フロー図である。
【発明を実施するための形態】
【００１０】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１１】
図１は、本実施形態における第１の実施例に係るデジタルカメラ１００と充電器２００の背面斜視図である。デジタルカメラ１００は、充電器２００に載置されて充電される。充電は、有線形式であっても良いが、本実施形態に係るデジタルカメラ１００と充電器２００は、例えば磁気共鳴方式である無線形式を採用する。
【００１２】
デジタルカメラ１００は、交換レンズ１１０とカメラ本体１２０とが組み合わされて、カメラとしての機能を発揮する。交換レンズ１１０は、焦点距離等がことなる複数の種類があり、ユーザは撮影目的に応じて任意のひとつをカメラ本体１２０へ装着することができる。交換レンズ１１０がズームレンズの場合は、手動により焦点距離を変化させるズーム環１１１を備える。
【００１３】
カメラ本体１２０は、背面側に液晶パネル等により構成される表示部１２１を備える。表示部１２１は、後述するように充電時においては機能制限に関する情報を表示し、使用時においてはライブビュー、再生画像、メニュー等を表示する。カメラ本体１２０の背面には、各種の操作部材１２２が設けられている。ユーザは、これらの操作部材１２２を操作してカメラに指示を与える。例えば、ユーザは、操作部材１２２の一つである十字ボタンの操作により、表示部１２１に表示されるアクティブのメニュー項目を上下左右に動かし、操作部材１２２の一つである決定ボタンの操作により、アクティブのメニュー項目の設定をカメラに指示する。なお、操作部材１２２の一つとして、表示部１２１に重ねて配設するタッチパネルを採用しても良い。
【００１４】
カメラ本体１２０は、内蔵フラッシュ１２３を頭頂部に備える。内蔵フラッシュ１２３は、被写体の測光結果により自動的にポップアップして被写体を照射することもできるし、ユーザのポップアップ指示を受けて被写体を照射することもできる。なお、内蔵フラッシュ１２３は、照射が禁止される場合には、ポップアップせずに図示する収納状態に留まる。
【００１５】
充電器２００は、家庭用ＡＣ電源３００に接続する電源ケーブル２１０と、家庭用ＡＣ電源３００からの電力供給をオン、オフするスイッチ２１１と、スピーカ２１２とを備える。充電器２００の上面２２０は、デジタルカメラ１００を載置するだけの十分な面積を有し、ユーザがデジタルカメラ１００を簡単に載置できるように平坦に構成されている。ユーザは、スイッチ２１１をオンにして上面２２０にデジタルカメラ１００を載置すれば、デジタルカメラ１００を充電することができる。
【００１６】
スピーカ２１２は、充電器２００がデジタルカメラ１００から受け取った情報、あるいは受け取るべき情報が受け取れない旨の情報を音でユーザに知らせる役割を担う。例えば、後述する機能制限に関する情報を発声する他、デジタルカメラ１００が載置されているにも関わらず充電が開始できない場合などに警告音を発する。
【００１７】
図２は、第１の実施例に係るデジタルカメラ１００と充電器２００のブロック図である。被写体像は、光軸１０１に沿って光学系を透過し、撮像素子１３０の受光面に結像する。光学系は、ズームレンズ１１６、防振レンズ１１７等を含む。光学系は、レンズシステム制御部１１２によって制御される。例えば、レンズシステム制御部１１２は、モータ駆動回路１１３を介してズームレンズ１１６を移動させ、防振ユニット回路１１４を介して防振レンズ１１７を移動させる。
【００１８】
また、レンズシステム制御部１１２は、交換レンズ１１０の特性を記録するレンズメモリ１１５から、当該特性を読み出す。レンズメモリ１１５は、例えば、ズームレンズ１１６のズーム倍率、防振ユニットの有無を記録する不揮発性メモリである。
【００１９】
レンズシステム制御部１１２は、レンズマウント接点１１９およびカメラマウント接点１２９を介してカメラシステム制御部１３１と接続され、相互に通信を実行しつつ協働して交換レンズ１１０とカメラ本体１２０を制御する。なお、レンズマウント接点１１９およびカメラマウント接点１２９は、それぞれ上述の交換レンズ１１０側の通信端子およびカメラ本体１２０側の通信端子を含む。また、カメラ本体１２０側から交換レンズ１１０側へ電力を供給する、交換レンズ１１０側の電力被供給端子およびカメラ本体１２０側の電力供給端子を含む。
【００２０】
撮像素子１３０は、光学系を透過して入射する被写体像である光学像を光電変換する素子であり、例えば、ＣＣＤ、ＣＭＯＳセンサが用いられる。撮像素子１３０で光電変換された被写体像は、Ａ／Ｄ変換器１３３でアナログ信号からデジタル信号に変換される。撮像素子１３０の電荷読み出し制御およびＡ／Ｄ変換器１３３の変換制御は、カメラシステム制御部１３１の同期制御を受けた撮像素子駆動回路１３２が供給するクロック信号により同期が計られる。カメラシステム制御部１３１、撮像素子駆動回路１３２、およびＡ／Ｄ変換器１３３は協働して、撮像素子１３０の定められた画素範囲内において特定画素の出力を選択的にデジタル信号に変換することもできる。
【００２１】
デジタル信号に変換された被写体像は、画像データとして順次処理される。Ａ／Ｄ変換器１３３によりデジタル信号に変換された画像データは、画像処理部１３４へ引き渡される。画像処理部１３４は、設定されている撮影モード、ユーザからの指示に従って、画像データを規格化された画像フォーマットの画像データに変換する。例えば、静止画像としてＪＰＥＧファイルを生成する場合、色変換処理、ガンマ処理、ホワイトバランス処理等の画像処理を行った後に適応離散コサイン変換等を施して圧縮処理を行う。また、動画像としてＭＰＥＧファイルを生成する場合、生成された連続する静止画としてのフレーム画像に対して、フレーム内符号化、フレーム間符号化を施して圧縮処理を行う。
【００２２】
Ａ／Ｄ変換器１３３から画像処理部１３４へ入力される画像データ量が、画像処理部１３４の処理能力を上回る場合は、未処理の画像データは、カメラシステム制御部１３１の制御により一旦内部メモリ１３６へ記憶される。つまり、内部メモリ１３６は、連写撮影、動画撮影において高速に連続して画像データが生成される場合に、画像処理の順番を待つバッファメモリとしての役割を担う。内部メモリ１３６は、高速で読み書きのできるランダムアクセスメモリであり、例えばＤＲＡＭ、ＳＲＡＭなどが用いられる。また、内部メモリ１３６は、画像処理部１３４が行う画像処理、圧縮処理において、ワークメモリとしての役割も担う。内部メモリ１３６は、これらの役割を担うに相当する十分なメモリ容量を備える。
【００２３】
画像処理部１３４によって処理された静止画像データ、動画像データは、記録制御部１３８の制御により、内部メモリ１３６から、メモリカード１５０の記録部１５１に記録される。メモリカード１５０は、フラッシュメモリ等により構成される、カメラ本体１２０に対して着脱可能な不揮発性メモリである。
【００２４】
画像処理部１３４は、記録用に処理される画像データに並行して、表示用の画像データを生成する。生成された表示用の画像データは、表示制御部１３７の制御に従って、表示部１２１に表示される。記録の有無に関わらず、カメラシステム制御部１３１が、画像処理部１３４に逐次表示用の画像データを生成させ、表示部１２１に表示させれば、デジタルカメラ１００は、電子ファインダ機能としてのライブビューを実現できる。また、カメラシステム制御部１３１は、画像の表示と共に、もしくは画像を表示することなく、デジタルカメラ１００の各種設定に関する様々なメニュー項目も、表示制御部１３７を介して表示部１２１に表示することができる。同様に、後述の機能制限に関する情報も表示することができる。
【００２５】
デジタルカメラ１００は、上記の画像処理における各々の要素も含めて、カメラシステム制御部１３１により直接的または間接的に制御される。カメラシステム制御部１３１は、システムメモリ１３５と通信する。システムメモリ１３５は、電気的に消去・記録可能な不揮発性メモリであり、例えばＥＥＰＲＯＭ（登録商標）等により構成される。システムメモリ１３５は、デジタルカメラ１００の動作時に必要な定数、変数、プログラム等を、デジタルカメラ１００の非動作時にも失われないように記録している。カメラシステム制御部１３１は、定数、変数、プログラム等を適宜内部メモリ１３６に展開して、デジタルカメラ１００の制御に利用する。
【００２６】
カメラ本体１２０は、ユーザからの操作を受け付ける十字キー等の操作部材１２２を複数備えているが、操作受付部１３９は、これら操作部材１２２が操作されたことを受け付けてカメラシステム制御部１３１へ受付結果を出力する。カメラシステム制御部１３１は、ユーザの操作に応じた動作を実行する。
【００２７】
環境取得部１４０は、デジタルカメラ１００の周辺環境を取得する。環境取得部１４０は、例えば、測光センサを含み、光学系を介して取得される周辺光の光量を検出して取得する。取得した結果は、カメラシステム制御部１３１へ出力される。フラッシュ回路１４１は、内蔵フラッシュ１２３を発光させる回路である。内蔵フラッシュ１２３の発光部がキセノン管である場合、フラッシュ回路１４１は、大容量のコンデンサを含む。
【００２８】
デジタルカメラ１００は、カメラ本体１２０のみならず、交換レンズ１１０も、二次電池１４４から電力供給を受ける。二次電池１４４は、ニッケル水素電池、リチウムイオン電池などの繰り返し充電できる電池である。受電回路１４３は、磁気共鳴方式の場合、受電コイルを有する。受電回路１４３は、受けた電力により二次電池１４４を充電する。また、受電回路１４３は、二次電池１４４の電力の充電容量を検出する回路を含む。カメラシステム制御部１３１は、受電回路１４３を監視することにより、二次電池１４４の充電を管理する充電管理部としての役割を担う。無線通信部１４２は、Ｂｌｕｅｔｏｏｔｈ（登録商標）などの近距離無線通信プロトコルを採用する通信部であり、充電器２００と通信して、デジタルカメラ１００の情報を送信したり、充電器２００の情報を受信したりする。
【００２９】
充電器２００は、充電制御部２０１により制御される。電源ケーブル２１０を介して家庭用ＡＣ電源３００から供給される電力は、給電回路２０３によってカメラ本体１２０の受電回路１４３へ伝送される。給電回路２０３は、磁気共鳴方式の場合、給電コイルを有する。充電通信部２０２は、カメラ本体１２０の無線通信部１４２と通信する通信部である。充電通信部２０２は、例えば、受信したデジタルカメラ１００の情報を充電制御部２０１へ出力する。当該情報は、充電制御部２０１から音声出力部２０４へ送られ、音声出力部２０４で音声に変換されてスピーカ２１２から発音される。
【００３０】
以上のような構成において、本実施例では、カメラシステム制御部１３１が、充電の進行に伴って変化する二次電池１４４の充電容量を監視して、デジタルカメラ１００の機能のうち充電容量によって変化する機能の制限についての情報を表示部１２１へ表示する。図３は、機能制限情報の表示例である。
【００３１】
機能制限情報の表示画面には、充電状況に関する情報として、充電中であることを示す充電アイコン１６１、および満充電までに要する残り充電時間を示す時間表示１６２が、表示される。カメラシステム制御部１３１は、充電アイコン１６１を複数のセグメントに分割して、その表示個数により充電の進捗を示しても良い。また、時間表示１６２に代えて充電割合を示すこともできる。
【００３２】
カメラシステム制御部１３１は、充電状況を表す表示と共に、機能制限についての表示を行う。タイトル１６３は、現時点で充電を終了してデジタルカメラ１００を使用した場合に、利用できる機能に制限がある旨を示す。そして、具体的な制限される機能に関する情報が、セル１６４に表示される。制限される機能が複数存在する場合には、その数に合わせてセル１６４が設けられる。例えば、図の例によれば、制限される機能として、パワーズーム、光学防振およびフラッシュ発光の３つが列挙されている。
【００３３】
パワーズームは、ユーザによる操作部材１２２の操作を受けて、レンズシステム制御部１１２がモータ駆動回路１１３を動作させてズームレンズ１１６を移動することにより、交換レンズ１１０の焦点距離を変化させる機能である。例えば、操作部材１２２のうち十字キーの上方向の押下操作によりテレ側に、下方向の押下操作によりワイド側に変化させることができる。図の例によれば、現在の充電状況においてはパワーズームが利用できないことを示す禁止アイコン１６５が、セル１６４の内部に表示されている。
【００３４】
またその横には、制限されている３つの機能の中での優先順位が示されている。優先順位は、充電が進んで二次電池１４４の充電容量が増えてきたときに、制限が解除される順番を示している。パワーズームの場合、上述のように交換レンズ１１０がズーム環１１１を備える場合には、ユーザが手動により直接的に焦点距離を変化させることができるので、撮影に対する影響が小さいとして、優先順位が低く設定されている。逆に、交換レンズ１１０がズーム環１１１を備えない場合には、パワーズームでなければ焦点距離の変更ができないので、ズーム環を備える場合よりも高い優先順位が設定される。
【００３５】
光学防振は、レンズシステム制御部１１２が防振ユニット回路１１４を動作させて、防振レンズ１１７を光軸１０１に対して直交する方向へ移動させ、撮像素子１３０の受光面において被写体像の振れを緩和する機能である。図の例によれば、現在の充電状況においてはパワーズームと同様に光学防振が利用できないことを示す禁止アイコン１６５が、セル１６４の内部に表示されている。また、光学防振は、品質の高い画像の生成に貢献するので、パワーズームよりも高い順位が設定されている。
【００３６】
フラッシュ発光は、カメラシステム制御部１３１がフラッシュ回路１４１を動作させて、内蔵フラッシュ１２３を発光させる機能である。図の例によれば、現在の充電状況においてはフラッシュ発光が３回のみ実行できることを示している。また、フラッシュ発光は、暗い環境かにおいて撮影が行えるか否かを決定付ける機能であるので、撮影に与える影響が大きいとして、ここでは優先順位１が設定されている。なお、ここでは、カメラシステム制御部１３１は、例えば２０回など、予め設定された十分な発光回数に対応する電力が二次電池１４４に蓄えられるまでは、フラッシュ発光を制限された機能として扱う。
【００３７】
また、図示するように、ユーザは、操作部材１２２を操作することにより、いずれかのセル１６４をアクティブにすることができ、アクティブにしたセル１６４に対応する機能の優先順位を変更することができる。表示制御部１３７は、アクティブにされたセル１６４に、優先順位の変更を許容する変更ウィンドウ１６６を表示する。例えば、ユーザがフラッシュ発光の優先順位を１から２へ変更した場合、カメラシステム制御部１３１は、光学防振の優先順位を２から１へ繰り上げる。この場合、カメラシステム制御部１３１は、二次電池１４４の充電容量が、後述する光学防振の基準消費電力に到達したら、まず光学防振の機能制限を解除する。そして、さらにフラッシュ発光の基準消費電力を参照して、二次電池１４４の充電容量が増えるごとに発光可能回数をインクリメントする。
【００３８】
カメラシステム制御部１３１は、受電回路１４３を監視して二次電池１４４の充電容量を逐次取得し、取得した充電容量に従って機能制限を更新する。機能制限情報の表示は、表示制御部１３７により、機能制限の更新に合わせて書き換えられる。ユーザは、充電中であっても、もし今すぐにデジタルカメラ１００を利用したら、如何なる機能が制限されるかについて事前に把握することができる。
【００３９】
カメラシステム制御部１３１は、制限対象となったために特定の機能を動作させない場合は、当該機能を補完すべく、撮影動作における動作条件を変更して他の機能を動作させることができる。例えば、フラッシュ発光が禁止された場合には、撮像素子１３０からの出力信号の増幅率を規定するＩＳＯ感度を、設定されている値よりも高い値に再設定する。これにより、フラッシュが発光されなくても、光量不足を緩和することができる。
【００４０】
また、カメラシステム制御部１３１は、光学防振が禁止されている場合にも、ＩＳＯ感度の設定を高い値に再設定しても良いし、シャッタ速度を設定されている値よりも速い値に再設定しても良い。
【００４１】
また、カメラシステム制御部１３１は、交換レンズ１１０がズーム環１１１を備えないにも関わらずパワーズームが禁止されている場合には、ユーザによるパワーズームの操作を撮影画像に対するトリミング範囲の設定として認識する。具体的には、カメラシステム制御部１３１は、パワーズーム機能を一旦機能させて広角端までズームレンズ１１６を移動させる。さらに、ユーザからパワーズームの操作を受け付けた場合には、実際にズームレンズ１１６を移動させるのではなく、ズームレンズ１１６を移動させたときの画角変化に相応するトリミングフレームを設定する。そして、実際に撮影が実行された場合には、カメラシステム制御部１３１は、画像処理部１３４に、広角端の焦点距離で撮影された撮影画像に対してトリミングフレームを適用させ、トリミングを実行させる。トリミングされた画像に対して画素補間技術により画素数を調整すれば、パワーズームを動作させて撮影した画像を擬似的に再現することができる。
【００４２】
次に基準消費電力について説明する。図４は、基準消費電力テーブルの例である。基準消費電力テーブルは、制限の対象となる機能について、動作単位あたりの消費電力が記述されており、システムメモリ１３５に記録されている。カメラシステム制御部１３１は、基準消費電力テーブルを参照して、二次電池１４４の現在の充電容量により対象となる機能を動作させることができるか否かを判断する。
【００４３】
基準消費電力テーブルは、それぞれの制限対象機能について、動作単位、基準消費電力、変更幅、初期優先順位および初期継続単位の項目を規定する。動作単位と基準消費電力は、例えば、光学防振について動作単位である１秒間動作させると、基準消費電力であるｗ２（Ｗ）の電力を消費することを表す。また、フラッシュについては、１回発光するとｗ３（Ｗ）の電力を消費することを表す。
【００４４】
変更幅は、デジタルカメラ１００の状況に応じて基準消費電力を変更しても良い範囲を規定する。パワーズームについては、カメラシステム制御部１３１は、レンズシステム制御部１１２を介して、レンズメモリ１１５から交換レンズ１１０のズーム倍率を取得する。そして、標準ズーム倍率と比較してパワーズームの基準消費電力を変更幅の範囲で変更する。例えば、標準ズーム倍率が３倍と設定されている場合に、取得したズーム倍率が１０倍であったとすると、ズームレンズ１１６を移動させるためにより多くの電力を要することを考慮して、カメラシステム制御部１３１は、パワーズームの基準消費電力を＋１０％とする。また、レンズ情報としてズームレンズ１１６を移動させるモータが低消費電力タイプであることを取得した場合には、カメラシステム制御部は、パワーズームの基準消費電力を−１０％とする。
【００４５】
なお、カメラ本体１２０の脱着部に装着してカメラ本体１２０側から電力を供給する外部機器についても、同様の機能制限を適用することができる。つまり、カメラシステム制御部１３１は、装着される外部機器の種類により、当該外部機器の特性を参照して、基準消費電力を変更することができる。
【００４６】
また、光学防振およびフラッシュについては、カメラシステム制御部１３１は、環境取得部１４０により周辺光の光量を取得して照度を算出し、当該照度に従って変更幅を決定する。例えば、標準照度に対して取得した照度が大きい場合、つまり周辺環境が明るい場合は、光学防振の動作範囲が小さくて済み、また、フラッシュの発光光量が小さくて済むことが期待できる。そこで、カメラシステム制御部１３１は、それぞれ基準消費電力を−５％とする。
【００４７】
また、フラッシュについては、カメラシステム制御部１３１は、記録制御部１３８を介して装着されているメモリカード１５０の残記録容量を検出し、当該残記録容量に従って変更幅を決定する。例えば、記録できる撮影画像データ数が標準数に対して少ない場合、フラッシュが利用されたとしても発光回数が限られるので、カメラシステム制御部１３１は、基準消費電力を−１０％とする。
【００４８】
初期優先順位は上述の通り、充電が進んで二次電池１４４の充電容量が増えてきたときに、制限が解除される順番を示している。ユーザにより優先順位が変更された場合には、変更された順位が適用される。
【００４９】
初期継続単位は、それぞれの機能が継続して動作される標準的な継続時間、回数を規定する。例えば、カメラシステム制御部１３１は、光学防振が制限対象となるか否かは、現在の二次電池１４４の充電容量が、基準消費電力ｗ２（Ｗ）で６０秒間動作させる容量を上回るか否かにより判断する。なお上述において、フラッシュの予め設定された十分な発光回数として例示した２０回は、ここで規定されるフラッシュの初期継続単位に対応する。
【００５０】
次に制御の流れについて説明する。図５は、第１の実施例に係るデジタルカメラの制御フロー図である。図示するフローは、カメラシステム制御部１３１が、充電器２００に載置されたことを認識した時点から開始される。なお、充電器２００に載置されたか否かは、例えば、無線通信部１４２が充電通信部２０２からの識別信号を受信したか否かにより判断される。
【００５１】
ステップＳ１０１において、カメラシステム制御部１３１は、受電回路１４３を介して、現在の二次電池１４４の電力容量である残容量を確認する。そして、ステップＳ１０２で、カメラシステム制御部１３１は、受電回路１４３に受電を開始させる。
【００５２】
続いてステップＳ１０３で、カメラシステム制御部１３１は、交換レンズ１１０を含む外部機器の接続を確認すると同時に、外部機器からその特性情報を取得できる場合は取得する。さらに、ステップＳ１０４で、カメラシステム制御部１３１は、記録制御部１３８を介して、記録部の残記録容量を確認する。そして、ステップＳ１０５で、カメラシステム制御部１３１は、環境取得部１４０に周辺環境を取得させ、照度などの周辺環境を確認する。ステップＳ１０６では、カメラシステム制御部１３１は、ステップＳ１０３からステップＳ１０５の情報を適用して、システムメモリ１３５から読み出した基準消費電力テーブルの基本消費電力を変更する。さらに、この変更された基本消費電力と、ステップＳ１０１で取得した残容量とから、制限する機能を決定する演算を行う。
【００５３】
ステップＳ１０７において、カメラシステム制御部１３１は、決定された制限対象機能とその関連情報を、図３で示したように、表示部１２１へ表示する。そして、受電回路１４３を監視するカメラシステム制御部１３１は、一定時間のウェイトを設けて、ステップＳ１０８で再び二次電池１４４の充電容量を取得する。次いで、ステップＳ１０６と同様に、取得した充電容量に従って制限する機能を見直す演算を行って、機能制限の更新を実行する。なお、ステップＳ１０７からステップＳ１０９の間に、ユーザにより優先順位が変更された場合には、変更された優先順位に従って制限する機能を更新する。無線通信部１４２は、ステップＳ１１０において、更新された機能制限の情報を充電通信部２０２へ通知する。
【００５４】
ステップＳ１１１で、カメラシステム制御部１３１は、デジタルカメラ１００が充電器２００から離間したか否かを判断する。カメラシステム制御部１３１は、充電器２００からの離間を、例えば、受電回路１４３が電力を受けられなくなったことにより判断する。カメラシステム制御部１３１は、離間していないと判断した場合には、ステップＳ１０７へ戻る。離間したと判断した場合には、ステップＳ１１２へ進む。
【００５５】
ステップＳ１１２では、カメラシステム制御部１３１は、受電回路１４３に受電完了処理を実行させる。そして、ステップＳ１１３で、確定した機能制限に関する情報を表示部１２１に表示する。なお、ステップＳ１０９で更新された機能制限が、ステップＳ１１１で離間が判断されたことにより、確定した機能制限となる。また、充電器２００の充電制御部２０１は、このタイミングで、受信した機能制限に関する情報を、音声出力部２０４およびスピーカ２１２を介して、音声によりユーザに告知しても良い。
【００５６】
そして、ステップＳ１１４で、カメラシステム制御部１３１は、機能制限に伴う撮影条件の変更を設定する。具体的には上述のように、例えば光学防振が制限された場合には、ＩＳＯ感度の値を高くする変更についての設定を行う。以上により、充電に関わる処理を終了する。なお、充電が完了して二次電池１４４が満充電状態となった場合には、制限する機能が存在しなくなるので、カメラシステム制御部１３１は、満充電状態である旨の表示を継続して、デジタルカメラ１００が充電器２００から離間されることを待てばよい。
【００５７】
次に、本実施形態にかかる第２の実施例について説明する。上述の第１の実施例においては、載置型の充電器２００により充電を行い、制限された機能に関する情報を、デジタルカメラ１００の表示部１２１で表示した。以下に説明する第２の実施例では、デジタルカメラ１００を離れた場所から操作するリモコンに無線充電機能を設け、リモコンの表示部で制限された機能に関する情報を表示する。本実施例においては、リモコン機能を備えた充電器４００として説明する。図６は、第２の実施例に係るデジタルカメラ１００と充電器４００の背面斜視図である。
【００５８】
デジタルカメラ１００は、三脚３２０に固定されて、ユーザから離れた位置に置かれている。充電器４００は、家庭用ＡＣ電源３００に接続する電源ケーブル４１０、液晶パネル等により構成される表示部４２１およびユーザからの操作を受け付ける操作部材４２２を備える。
【００５９】
図６に示すように、ユーザは、デジタルカメラ１００から数ｍ離れた位置で充電器４００を把持する。充電器４００は、この状態において無線形式によりデジタルカメラ１００に向けて電力を伝送する。また、充電器４００は、デジタルカメラ１００と相互に通信することにより、ユーザの指示をデジタルカメラ１００側に送信したり、制限された機能に関する情報を始めとする各種情報をデジタルカメラ１００側から受信したりする。
【００６０】
図７は、第２の実施例に係るデジタルカメラ１００と充電器４００のブロック図である。デジタルカメラ１００は、第１の実施例と同様であるので説明を省略する。
【００６１】
充電器４００は、充電制御部４０１により制御される。電源ケーブル４１０を介して家庭用ＡＣ電源３００から供給される電力は、給電回路４０３によってカメラ本体１２０の受電回路１４３へ伝送される。給電回路４０３は、磁気共鳴方式の場合、給電コイルを有する。充電通信部４０２は、カメラ本体１２０の無線通信部１４２と通信する通信部である。充電通信部４０２は、無線通信部１４２から制限された機能に関する情報を始めとする各種情報を受信すると共に、リモコン機能としてデジタルカメラ１００への指示を無線通信部１４２へ送信する。操作受付部４３９は、操作部材４２２が操作されたことを受け付けて充電制御部４０１へ受付結果を出力する。表示制御部４３７は、充電制御部４０１で生成される画像信号を変換して表示部４２１へ表示する。
【００６２】
図８は、第２の実施例に係る充電器４００の制御フロー図である。図示するフローは、充電通信部４０２が、無線通信部１４２との間で通信を確立した時点から開始される。
【００６３】
ステップＳ２０１で、充電制御部４０１は、充電通信部４０２を介して、デジタルカメラ１００の情報を取得する。取得する情報には、制限された機能に関する情報が含まれる。そして、ステップＳ２０２で、充電制御部４０１は、給電回路４０３に給電を開始させる。
【００６４】
ステップＳ２０３で、充電制御部４０１は、表示制御部４３７を介して表示部４２１に、受信した制限された機能に関する情報を、図３の例と同様に表示する。そして、充電制御部４０１は、一定時間のウェイトを設けて、ステップＳ２０４で再びデジタルカメラ１００の情報を取得する。
【００６５】
また、ステップＳ２０５では、充電制御部４０１は、ユーザによる制限された機能に対する優先順位の変更指示を操作部材４２２が受け付けたか否かを判断する。受け付けた場合は、ステップＳ２０６で、その内容をデジタルカメラ１００側へ通知する。受け付けていない場合はステップＳ２０６をスキップする。
【００６６】
充電制御部４０１は、ステップＳ２０７へ進み、二次電池１４４が満充電に到達したか否かを判断する。満充電に到達したかの情報は、充電通信部４０２を介してデジタルカメラ１００から通知される。満充電に到達していなければステップＳ２０３へ戻り、到達していればステップＳ２０８へ進む。
【００６７】
ステップＳ２０８では、充電制御部４０１は、給電回路４０３からの電力供給を終了させる。そして、ステップＳ２０９で、充電制御部４０１は、制限された機能に関する情報を消去して、一連の充電処理を終了する。なお、デジタルカメラ１００の特定機能を動作させる指示をリモコン機能としてデジタルカメラ１００へ送信する場合には、充電制御部４０１は、割り込み処理として送信処理を実行する。
【００６８】
以上説明した本実施形態では、制限する機能としてパワーズーム、光学防振およびフラッシュ発光の３つを例として説明したが、もちろん対象となる機能は他の機能であっても良い。対象となる機能は、消費電力が比較的大きな動作を伴う機能であることが好ましい。例えば、撮像素子１３０を動作させる撮像素子駆動回路１３２は大きな消費電力を伴う。そこで、撮像素子駆動の機能制限として、特定画素の出力を選択的にデジタル信号に変換して、画素数の少ない画像データを生成するようにしても良い。
【００６９】
以上の実施形態においては、電子機器の例としてデジタルカメラ１００を説明したが、もちろん、他の電子機器であっても良い。ミラーレス一眼カメラ、デジタルビデオカメラ等の撮像装置に限らず、携帯電話、携帯音楽プレーヤー等の無線により充電される電子機器であれば、上述の概念を同様に適用することができる。
【００７０】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００７１】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００７２】
１００  デジタルカメラ、１０１  光軸、１１０  交換レンズ、１１１  ズーム環、１１２  レンズシステム制御部、１１３  モータ駆動回路、１１４  防振ユニット回路、１１５  レンズメモリ、１１６  ズームレンズ、１１７  防振レンズ、１１９  レンズマウント接点、１２０  カメラ本体、１２１  表示部、１２２  操作部材、１２３  内蔵フラッシュ、１２９  カメラマウント接点、１３０  撮像素子、１３１  カメラシステム制御部、１３２  撮像素子駆動回路、１３３  Ａ／Ｄ変換器、１３４  画像処理部、１３５  システムメモリ、１３６  内部メモリ、１３７  表示制御部、１３８  記録制御部、１３９  操作受付部、１４０  環境取得部、１４１  フラッシュ回路、１４２  無線通信部、１４３  受電回路、１４４  二次電池、１５０  メモリカード、１５１  記録部、１６１  充電アイコン、１６２  時間表示、１６３  タイトル、１６４  セル、１６５  禁止アイコン、１６６  変更ウィンドウ、２００  充電器、２０１  充電制御部、２０２  充電通信部、２０３  給電回路、２０４  音声出力部、２１０  電源ケーブル、２１１  スイッチ、２１２  スピーカ、２２０  上面、３００  家庭用ＡＣ電源、３２０  三脚、４００  充電器、４０１  充電制御部、４０３  給電回路、４１０  電源ケーブル、４２１  表示部、４２２  操作部材、４３７  表示制御部、４３９  操作受付部
【図１】
2013005693.tif 000003
【図２】
2013005693.tif 000004
【図３】
2013005693.tif 000005
【図４】
2013005693.tif 000006
【図５】
2013005693.tif 000007
【図６】
2013005693.tif 000008
【図７】
2013005693.tif 000009
【図８】
2013005693.tif 000010